(57)【要約】【課題】空気調和装置の状態、時刻等に合わせた設定を行い、空気調和装置、空気調和装置と連動する機器に操作内容を実施させることができる空気調和システムを得る。【解決手段】空気調和装置と空気調和装置専用伝送線５００を介して接続され、送信される信号に基づいて、操作対象の機器に操作指令を含む信号を送信する集中コントローラ４００を有し、集中コントローラ４００は、操作対象の機器および操作内容並びに操作対象の機器に操作内容を実施させるための条件および有効期間からなる連動制御情報のデータを設定する処理を行う連動制御情報設定手段４８０と、連動制御情報のデータを記憶する記憶手段４６０と、送信される信号に基づいて、１または複数の連動制御情報のデータから、条件および有効期間を満たすものと判断した条件および有効期間に係る操作対象の機器に操作指令を送信する連動制御実施判断手段４９０とを備える。【選択図】図４
2008249233.tif 000002
【特許請求の範囲】
【請求項１】
１または複数の室内機と１または複数の室外機とを冷媒配管接続して構成される空気調和装置と、
各室外機および各室内機と通信回線を介して接続され、操作対象の機器に操作指令を含む信号を送信する管理装置とを有する空気調和システムであって、
前記管理装置は、
前記操作対象の機器および操作内容並びに前記操作対象の機器に前記操作内容を実施させるための条件および有効期間からなる連動制御情報のデータを設定する処理を行う連動制御情報設定手段と、
該連動制御情報設定手段が処理した連動制御情報のデータを記憶する記憶手段と、
送信される信号に基づいて前記記憶手段に記憶された１または複数の前記連動制御情報のデータから、前記条件および前記有効期間を満たすデータを判断し、満たすものと判断した前記条件および前記有効期間に係る前記操作対象の機器に、前記操作内容に基づく前記操作指令を送信する連動制御実施判断手段と
を備えることを特徴とする空気調和システム。
【請求項２】
前記通信回線に接続され、前記空気調和装置と連動した動作を行う汎用設備装置も前記操作対象の機器とすることを特徴とする請求項１記載の空気調和システム。
【請求項３】
温度を検知する温度検知手段と湿度を検知する湿度検知手段とが前記室外機および／または前記室内機に設けられ、
前記室外機および／または前記室内機は、前記温度検知手段が検知した温度に係るデータおよび／または前記湿度検知手段が検出した湿度に係るデータを信号に含めて前記管理装置に送信することを特徴とする請求項１または２記載の空気調和システム。
【請求項４】
前記連動制御情報設定手段は、緊急時に送信される緊急信号に基づく条件を、前記条件として設定する処理を行うことを特徴とする請求項１〜３のいずれかに記載の空気調和システム。
【請求項５】
前記操作対象の機器および操作内容並びに前記操作対象の機器に前記操作内容を実施させるための条件および有効期間からなる連動制御情報のデータを設定する処理を行う連動制御情報設定手段を備え、該連動制御情報設定手段が行った設定処理に係る連動制御情報のデータを含む信号を、前記管理装置に送信して前記管理装置の前記記憶手段に記憶させる遠隔監視装置をさらに有することを特徴とする請求項１〜４のいずれかに記載の空気調和システム。
【発明の詳細な説明】
【技術分野】
【０００１】
この発明は、複数の室内機を備える空気調和装置を有する空気調和システムに関するものである。特に季節、動作環境等に応じて、換気装置等の機器を含めた操作対象の機器を設定された操作内容に基づいて制御するものである。
【背景技術】
【０００２】
従来から、操作内容を時刻と共に設定してスケジュール管理し、設定された時刻になると、空気調和装置において操作対象の機器に設定された操作内容を実施させるシステムがある（例えば、特許文献１参照）。このシステムでは、発停（運転開始または停止）、運転モード、設定温度、操作禁止設定等の事項を設定する操作内容とし、それらの操作内容を空気調和装置に実施させる曜日、時刻を設定してスケジュール管理をする。また、室内機における運転操作によって換気装置等の機器を連動して運転操作する制御を行っている装置もある（例えば、非特許文献１参照）。
【特許文献１】特開２００２−２８６２８０号公報（第１−６頁、第１図）
【非特許文献１】三菱電機ビル空調マルチエアコンのカタログ、２００６年１０月作成、ｐ.１１３
【発明の開示】
【発明が解決しようとする課題】
【０００３】
しかしながら、上述したようなシステムでは、設定された曜日、時刻において、設定された操作内容を空気調和装置に実施させるものであるため、例えば季節や気候の変化に対応するためには、操作内容に対応して事項の設定変更をする必要があり、そのために手間や時間を要していた。また、例えば１日の寒暖のある気候変化や日々の気候状況の変化または使用している環境の実態に合わせた設定をし、空気調和装置、空気調和装置と連動する機器に実施させることは困難であった。
【０００４】
そこで、この発明は、上記のような課題を解決するためになされたもので、空気調和装置の状態、時刻等に合わせた設定を行い、空気調和装置、空気調和装置と連動する機器に操作内容を実施させることができる空気調和システムを得ることを目的とする。
【課題を解決するための手段】
【０００５】
この発明に係る空気調和システムは、１または複数の室内機と１または複数の室外機とを冷媒配管接続して構成される空気調和装置と、各室外機および各室内機と通信回線を介して接続され、各室外機および／または各室内機から送信される信号に基づいて、操作対象の機器に操作指令を含む信号を送信する管理装置とを有する空気調和システムであって、管理装置は、操作対象の機器および操作内容並びに操作対象の機器に操作内容を実施させるための条件および有効期間からなる連動制御情報のデータを設定する処理を行う連動制御情報設定手段と、連動制御情報設定手段が処理した連動制御情報のデータを記憶する記憶手段と、室外機および室内機から送信される信号に基づいて、記憶手段に記憶された１または複数の連動制御情報のデータから、条件および有効期間を満たすデータを判断し、満たすものと判断した条件および有効期間に係る操作対象の機器に、操作内容に基づく操作指令を送信する連動制御実施判断手段とを備えるものである。
【発明の効果】
【０００６】
本発明によれば、管理装置において、連動制御情報設定手段により設定した、操作対象の機器および操作内容並びに操作対象の機器に操作内容を実施させるための条件および有効期間からなる連動制御情報のデータに基づいて、連動制御実施判断手段が条件および有効期間を満たすデータを判断し、満たすものと判断した条件および有効期間に係る操作対象の機器に、操作内容に基づく操作指令を送信するようにしたので、条件、有効期間等の設定を詳細に行うことができる。そのため、例えば、スケジュール管理のように時間のみでの規定されることなく、季節によって連動制御しようとする内容が変化する等の場合に、手間や時間を要すことなく設定を行うことができる。また、これにより、季節や気候および１日における寒暖の変化等、使用環境や動作状況に応じた操作対象の機器、操作内容を的確かつ適切に制御することができる。
【発明を実施するための最良の形態】
【０００７】
実施の形態１．
図１はこの発明の実施の形態１に係る冷凍サイクルを利用した空気調和システムを中心とする構成を表す図である。図１において、室外機１００および室内機２００、汎用制御コントローラ（設備制御装置）３００並びに集中コントローラ４００は、空気調和装置専用伝送線５００により接続され、それぞれ各種データを含む信号の通信を行うことができる。特に本実施の形態においては、管理装置となる集中コントローラ４００から、操作対象の機器（以下、操作対象機器という）に対して操作内容に基づく操作指令の信号が送信される。ここで、システム内の機器は、例えばシステム内における固有の番号、アドレス等（以下、アドレスという）を有しており、区別されているものとする。また、各機器が通信を行う際には、信号送信先、送信元のアドレスのデータを含めた信号を送信するものとする。
【０００８】
そして、例えばビル等の建物に設けられた１または複数の室外機（熱源側装置）１００（図１では１台である）および１または複数の室内機（負荷側装置）２００（図１では３台である）により空気調和装置が構成される。室外機１００と各室内機２００とは冷媒配管により接続されており、配管中を流れる冷媒の圧力を変化させて冷媒の吸熱、放熱により空気調和を行う。
【０００９】
図２は室外機１００の構成例を表す図である。室外機制御手段１１０は、例えば、室内機通信手段１２０が受信した集中コントローラ３００等からの信号等に基づいて、室外機１００を構成する各手段の動作を制御する。ここで、室外機制御手段１１０は、処理を行うために必要となるデータを記憶する記憶手段（図示せず）を有しているものとする。室外機通信手段１２０は、空気調和装置専用伝送線５００と接続され、空気調和装置専用伝送線５００と室外機制御手段１１０との間における信号通信のインターフェースとなる。室外機温度センサ１３０は、室外機１００周辺の温度（気温）を検知する検知手段である。ここで、室外機温度センサ１３０は室外機１００の構成の一部として記載しているが、例えば別ユニットで設ける等してもよい。
【００１０】
圧縮機１４０は、吸入した冷媒（気体）を圧縮し、運転周波数に基づく任意の圧力を加えて送り出す（吐出する）。特に限定するものではないが、例えば運転周波数を任意に変化させることにより容量（単位時間あたりの冷媒を送り出す量）を変化させることができる、インバータ回路を備えた容量可変のインバータ圧縮機としてもよい。室外機側熱交換器１５０は、熱交換器を通過する冷媒と空気との熱交換を行う。室外機側ファン１６０は、例えば室外機側熱交換器１５０に熱交換のための空気を送るものである。四方切換弁１７０は、例えば冷房運転、暖房運転に応じて、配管経路の切り替えを行うための弁である。アキュムレータ（液分離器）１８０は、液を溜め、気体の冷媒だけを圧縮機１４０に吸入させるための装置である。また、室外機側膨張弁１９０は、室外機制御手段１１０の指示に基づいて、弁の開度を調整し、冷媒の流量を制御する。
【００１１】
図３は室内機２００の構成例を表す図である。室内機制御手段２１０は、例えば、手元リモートコントローラ２８０（以下、リモコン２８０という）からの操作指令を含む信号、室内機通信手段２２０が受信した信号等に基づいて、室内機２００を構成する各手段の動作を制御する。ここで、室内機制御手段２１０も処理を行うために必要となるデータを記憶する記憶手段（図示せず）を有しているものとする。室内機通信手段２２０は、空気調和装置専用伝送線５００と接続され、空気調和装置専用伝送線５００と室内機制御手段２１０との間における信号通信のインターフェースとなる。
【００１２】
室内機温度センサ２３０は、例えば室内機２００が設けられた室内の温度（気温）を検知する検知手段である。また、室内機湿度センサ２４０も室内の湿度を検知する検知手段である。室内機温度センサ２３０、室内機湿度センサ２４０の検知に係る信号は室内機制御手段２１０に送信される。ここで、室内機温度センサ２３０、室内機湿度センサ２４０は室内機２００の構成の一部として記載しているが、例えば別ユニットで設ける等してもよい。室内機制御手段２１０は、その信号に基づいて、温度、湿度に係るデータの生成、温度、湿度のデータを含む信号を室外機１００、集中コントローラ３００に送信する等の処理を行う。
【００１３】
室内機側熱交換器２５０は、熱交換器内を通過する冷媒と空気との熱交換を行う。室内機側ファン２６０は、室内機側熱交換器２５０に空気を送り熱交換させ、さらに熱交換された空気を室内に送り込む。室内機側膨張弁２７０は、室内機制御手段２１０の指示に基づいて、弁の開度を調整し、冷媒の流量を制御する。これにより、室内機側熱交換器２５０を通過する冷媒量を制御し、室内機側熱交換器２５０における冷媒の蒸発等を調整する。リモコン２８０は、例えば操作者がリモートコントローラ等を介して入力した設定温度、運転モード等の操作指令の信号を室内機制御手段２１０に送信する。
【００１４】
汎用制御コントローラ３００も、制御手段および通信手段（図示せず）を有する。例えば１または複数の汎用機器（汎用設備機器）３１０と空気調和装置専用伝送線５００との間に接続されている。ここで、汎用機器３１０は、例えば空気調和装置と連動して空気調和を行うための換気装置等の機器、他の空気調和装置だけでなく、照明装置（システム）、防災装置（システム）等、空気調和装置と連動した動作を実施する他の設備機器、システム等であるものとする。本実施の形態においては、例えば、災害等が発生したときに緊急信号を送信する汎用機器３１０を有しているものとする。
【００１５】
汎用制御コントローラ３００は、例えば、空気調和装置において通信する信号またはデータの形式が汎用機器３１０における形式と異なる場合に、汎用機器３１０に連動制御を行わせるための操作指示の信号における形式変換を行って汎用機器３１０に送信する。また、逆に汎用機器３１０からの信号等の形式変換を行って、集中コントローラ４００等に送信する。そして、汎用機器３１０を操作監視し、空気調和装置と連動した運転等を行わせるようにする。ここで、本実施の形態では、汎用機器３１０は汎用制御コントローラ３００を介して操作内容の信号等を受信するようにしているが、例えば空気調和装置における形式の信号またはデータが処理でき、運転等が行えるのであれば、汎用制御コントローラ３００を介さずに空気調和装置専用伝送線５００と接続し、通信を行うこともできる。
【００１６】
図４は集中コントローラ４００の構成例を表す図である。本実施の形態においてシステムの管理装置となる集中コントローラ４００は、外部通信手段４１０、通信手段４２０、表示手段４３０、入力手段４４０、制御手段４５０、記憶手段４６０、時計手段４７０、連動制御情報設定手段４８０および連動制御実施判断手段４９０で構成する。
【００１７】
外部通信手段４１０は、例えば、イントラネットまたは汎用ネットワーク７００と接続し、通信装置との間で各種データを含む信号の通信を行うために設けられている。一方、通信手段４２０は、室外機１００、室内機２００および汎用制御コントローラ４００との間で各種データを含む信号を通信するためのインターフェースとなる手段である。表示手段４３０は、制御手段４５０からの表示信号に基づいて表示を行う。入力手段４４０は、操作者（オペレータ）がデータ、指示等を入力するために設けられている。また、制御手段４５０は、例えばマイクロコンピュータで構成され、集中コントローラ４００を構成する各手段の動作を制御する。
【００１８】
連動制御情報設定手段４８０は、入力手段４４０等から入力されるデータに基づいて連動制御を実施するための条件、操作内容等の情報を連動制御情報として設定し、記憶手段４６０に連動制御情報のデータを記憶させる設定処理を行う。また、連動制御実施判断手段４９０は、例えば、空気調和装置に設けられた温度センサ３１、湿度センサ３２の検知に係る温度、湿度等のデータ、日時のデータ、連動制御情報として設定された条件等のデータに基づいて、システム内の操作対象機器の連動制御に係る実施判断を行う。
【００１９】
記憶手段４６０は、連動制御情報、空調調和装置、汎用制御コントローラ３００の運転状態、システム全体の情報等、集中コントローラ４００の各手段が処理を行うためのデータ、処理により生成されたデータ等の各種データを記憶する。時計手段４７０は、例えば連動制御実施判断手段２２が実施判断を行うための日時のデータを生成する。
【００２０】
図５は集中コントローラ４００が行う連動制御情報設定内容を表す図である。図５（ａ）は主として連動制御情報設定手段４８０が行う処理のフローチャートを表し、図５（ｂ）は連動制御情報の例を表す。次に図５に基づいて本実施の形態における集中コントローラ４００の連動制御情報の設定処理について説明する。
【００２１】
まず、オペレータは、連動制御を有効とする期間・時間（以下、有効期間という）に係るデータを入力手段４４０から入力する。また、連動制御を行うための条件に係るデータを１または複数入力する。そして、条件のデータを複数入力した場合には、複数の条件を全て満たした（ＡＮＤ）ときに連動制御を行うか、または複数の条件の１以上の条件を満たした（ＯＲ）ときに連動制御を行うかを設定するためのＡＮＤ・ＯＲ条件に係るデータを入力する。連動制御情報設定手段４８０は、入力手段４４０から入力されるこれらのデータに基づいて設定処理を行う（ステップ１。（以下、ステップをＳとする））。
【００２２】
例えば、図５（ｂ）の連動制御情報の例において、オペレータが入力手段４４０から入力したデータに基づいて、連動制御情報設定手段４８０が処理を行って設定した設定番号１では、有効期間として、「常時」が設定されている。また、２つの条件が設定されており、条件１として「室内機１号機が冷房モードであること」、条件２として「室内機１号機の運転操作がなされたこと」が設定されている。さらにＡＮＤ・ＯＲ条件は、条件１と２とを両方満たした場合に連動制御を実施することを表す「条件１  ＡＮＤ  条件２」が設定されている。この入力に係るデータに基づく表示信号が制御手段１５から送信されると、表示手段４３０は設定された内容を例えば図５（ｂ）に示すように表示する。ここで、図５（ｂ）は、オペレータが確認を行いやすい表示をおこなうように示したものであるが、記憶手段４６０に実際に記憶するデータの形式は特にこれに限定するものではない。
【００２３】
ここで、本実施の形態においては、上述したように、災害等の場合に、汎用機器３１０を介して集中コントローラ４００に緊急信号が入力される。そこで、緊急信号が入力された場合について条件のデータとして、設定することができる。例えば、図５（ｂ）の連動制御情報の例において、緊急信号が入力されていないことを条件とする場合には、設定番号４における条件１のように「緊急信号入力＝通常」と設定を行う。また、緊急信号が入力されたことを条件とする場合には、設定番号５における条件１のように「緊急信号入力＝緊急」と設定を行う。これにより、緊急状態と通常状態とを区別した設定をおこなうことができ、状態に応じた制御を行うことができる。
【００２４】
連動制御を行うための有効期間に係るデータおよび条件のデータが設定されると、オペレータは、さらに連動制御を行う操作対象機器および連動制御に係る操作内容のデータを入力手段４４０から入力する（Ｓ２）。例えば、図５（ｂ）の連動制御情報の例において、設定番号１では、操作対象機器として「室内機１号機」が設定されている。また、操作内容として「設定温度＝２７℃」とする操作について設定されている。
【００２５】
ここで、図５（ｂ）の設定番号４、５および７に示すように、空気調和装置を構成する室外機１００、室内機２００だけでなく、空気調和装置と連動した動作を行う汎用機器３１０を設定対象機器として設定することもできる。これにより、汎用機器３１０についても、連動制御ではなく、操作内容に基づく実施をさせることができる。ここで、操作対象機器が汎用機器３１０の場合には、汎用制御コントローラ３００を介して操作指令の信号を送信することになる。
【００２６】
Ｓ１およびＳ２に基づいて、連動制御情報に係るデータが入力手段４４０を介して入力されると、連動制御情報設定手段４８０は、連動制御情報に係るデータを記憶手段４６０に記憶する（Ｓ３）。そして、連動制御情報に係るデータ入力が終了であるか継続されるかどうかを判断し（Ｓ４）、継続の場合には、Ｓ１に戻り、入力が終了である場合には設定処理を終了する。
【００２７】
図６は集中コントローラ４００における連動制御実施判断処理のフローチャートを表す図である。連動制御実施判断手段４９０は、記憶手段４６０に記憶された連動制御情報に係るデータに基づいて実施判断処理を定期的に行う。まず、連動制御情報を読み出す設定番号Ｎを０にセットする（Ｓ１１）。そして、設定番号Ｎに「１」を加算する（Ｓ１２）。
【００２８】
記憶手段４６０に記憶された設定番号Ｎの連動制御情報のデータから、有効期間に係るデータ、条件に係るデータおよびＡＮＤ・ＯＲ条件に係るデータを読み出す（Ｓ１３）。そして、読み出したデータに係る条件が成立し、連動制御を行うかどうかを判断する（Ｓ１４）。このとき、通信手段１２、空気調和装置専用伝送線８を介して送信される信号に含まれる空気調和装置（室外機１００、室内機２００）、汎用制御コントローラ４００（汎用機器４１０）の状態、温度センサ１３０若しくは２３０または湿度センサ２４０の検知に係る温度、湿度のデータを条件を満たすかどうかの判断に用いる。
【００２９】
条件が成立し、連動制御を行うものと判断した場合は、さらにその設定番号の操作対象機器のデータおよび操作内容のデータを記憶手段４６０から読み出す（Ｓ１５）。そして、通信手段４２０を介して、操作対象機器として設定された機器に対して、操作内容に基づく操作指令の信号を送信する（Ｓ１６）。信号を受信した機器は、その操作指令に基づいて各手段を動作させる。上述したように、操作対象機器が汎用機器３１０の場合には、汎用制御コントローラ３００に操作指令の信号を送信し、実施させるようにする。
【００３０】
そして、設定された全ての連動制御情報について判断処理を行ったかどうかを判断する（Ｓ１７）。処理を行ったものと判断すれば連動制御実施判断処理を終了する。一方、処理を終えていないと判断すると、Ｓ１２に戻り、次の設定番号に設定された連動制御情報について連動制御実施判断処理を繰り返し行う。
【００３１】
以上のように、実施の形態１によれば、集中コントローラ４００の連動制御情報設定手段４８０が、例えば有効期間、条件、ＡＮＤ・ＯＲ条件、操作対象機器および操作内容からなる連動制御情報のデータを処理して設定し、連動制御実施判断手段４９０が条件を満たしたものと判断した場合には、操作対象機器に操作内容に基づく操作指令の信号を送信し、操作に基づく動作を実施させるようにしたので、条件をきめ細かく設定することができ、例えば季節によって連動制御しようとする内容が変化する等の場合に、手間や時間を要すことなく設定を行うことができる。また、通常のスケジュール設定のように、時刻、操作内容が固定されることなく、季節や気候および１日における寒暖の変化等、使用環境や動作状況に応じた操作対象機器、操作内容を的確かつ適切に制御することができる。そのため、例えば時刻のみの強制的な操作変更により室内の使用者の快適性を確保することができる。
【００３２】
さらに、連動制御情報として有効期間のデータを設定するようにしているので、連動制御を行う条件に対して、時間的に有効または無効の設定を行うことができる。そして、汎用機器３１０を操作対象機器として設定を行うことができるので、汎用機器３１０についても条件に応じた実施をさせることができる。また、緊急信号入力を条件とすることができ、他の条件も設定することができるので、緊急状態のより細かな条件に応じて、操作対象機器に操作内容に基づく操作指令を送信し、実施させることができる。
【００３３】
実施の形態２．
図７は本発明の実施の形態２に係る空気調和システムを中心とする構成を表す図である。図７において、図１と同じ番号を付しているものは同様の動作を行うので説明を省略する。上述した集中コントローラ４００の外部通信手段４１０は、例えばイントラネットまたは汎用ネットワーク７００を介してルータ７１０と接続されている。ルータ７１０はさらに、いわゆるインターネット等の電気通信回線網８００と接続されている。一方、遠隔監視装置６００は、イントラネット９００を介してルータ９１０と接続され、ルータ９１０と接続された電気通信回線網８００を経由して集中コントローラ４００と信号の通信を行うことができる。
【００３４】
遠隔監視装置６００は例えばパーソナルコンピュータ等からなり、外部通信手段６１０、表示手段６３０、入力手段６４０、制御手段６５０、記憶手段６６０、時計手段６７０、連動制御情報設定手段６８０および遠隔連動制御情報変更処理手段６９０で構成されている。
【００３５】
外部通信手段６１０は、外部の通信装置との間で各種データを含む信号を送受信するために設けられている。本実施の形態では、上述したように集中コントローラ４００と信号の送受信を行うために設けられたものである。表示手段６３０は、制御手段６５０からの表示信号に基づいて表示を行う。入力手段６４０は、設定するデータ、操作指示等を操作者（オペレータ）が入力するために設けられている。また、制御手段６５０は、遠隔監視装置１０の各手段の動作制御等を行う。
【００３６】
連動制御情報設定手段６８０は、連動制御情報設定手段４８０と同様に、入力手段６４０から入力されるデータに基づいて連動制御を実施するための条件、操作内容等の情報を連動制御情報として設定し、記憶手段６６０に記憶させる設定処理を行う。また、遠隔連動制御情報変更処理手段６９０は、記憶手段６６０に記憶された連動制御情報のデータを含む信号を、外部通信手段６１０等を介して集中コントローラ４００に送信し、変更させるための処理を行う。
【００３７】
遠隔記憶手段６６０は、連動制御情報のデータ等、遠隔監視装置１０の各手段が処理を行うために必要となる各種データを記憶する。時計手段６７０は日時のデータを生成する。
【００３８】
図８は実施の形態２に係る処理を表す図である。図８（ａ）は遠隔監視装置１０と集中コントローラ４００とにおいて行われる処理のフローチャートを表し、図８（ｂ）は遠隔監視装置１０から連動制御情報を送る信号を表す。本実施の形態は、遠隔監視装置６００において処理を行って設定した連動制御情報のデータを、集中コントローラ４００の記憶手段４６０に記憶させる処理について説明する。
【００３９】
まず、オペレータは、有効期間に係るデータを入力手段６４０から入力する。また、連動制御を行うための条件に係るデータを１または複数入力する。そして、条件のデータを複数入力した場合には、上述したＡＮＤ・ＯＲ条件に係るデータも入力する。連動制御情報設定手段６８０は、入力手段６４０から入力されるこれらのデータに基づいて設定処理を行う（Ｓ２１）。連動制御を行うための有効期間に係るデータおよび条件のデータが設定されると、オペレータは、連動制御を行う操作対象機器および連動制御に係る操作内容のデータを入力手段６４０からさらに入力する（Ｓ２２）。このとき、例えば、上述した図５（ｂ）における連動制御情報の例のような設定の内容となる。
【００４０】
Ｓ２１およびＳ２２に基づいて、連動制御情報に係るデータが入力手段６４０を介して入力されると、連動制御情報設定手段６８０は、連動制御情報に係るデータを記憶手段６６０に記憶する（Ｓ２３）。そして、連動制御情報に係るデータ入力が終了であるか継続されるかどうかを判断し（Ｓ２４）、継続する場合にはＳ２１に戻って上記の処理を繰り返し行う。
【００４１】
データ入力が終了であると判断すると、連動制御情報設定手段６８０は処理を終了する。そして、遠隔連動制御情報変更手段６９０は、記憶手段６６０に記憶された連動制御情報のデータを読み出し、外部通信手段６１０、イントラネット９００、ルータ９１０、電気通信回線網８００等を介して、連動制御情報のデータを含む信号を集中コントローラ４００に送信する（Ｓ２５）。
【００４２】
一方、集中コントローラ４００側においては、遠隔監視装置６００の設定処理に係る連動制御情報のデータを記憶手段４６０に記憶させる処理を行う。ここでは、連動制御情報設定手段４８０が処理を行うものとして説明する。連動制御情報設定手段４８０は遠隔監視装置６００からの連動制御情報のデータを含む信号を外部通信手段４１０が受信したかどうかを、例えば定期的に判断する（Ｓ３１）。連動制御情報のデータを含む信号を受信したものと判断すると、連動制御情報のデータを記憶手段４６０に記憶させる（Ｓ３２）。
【００４３】
図８（ｂ）に示すように、遠隔監視装置６００からの信号には、記憶手段４６０に記憶させる連動制御情報のデータの数が全設定数のデータとして含まれる。連動制御情報設定手段４８０は、全設定数のデータに基づいて、全ての連動制御情報のデータを記憶させたかどうかを判断する（Ｓ３３）。全ての連動制御情報のデータの記憶が終了していないと判断すると、Ｓ３１に戻って処理を繰り返す。
【００４４】
全ての連動制御情報のデータの記憶が終了したものと判断すると、連動制御情報設定手段４８０は処理を終了し、記憶手段４６０に記憶された新たな連動制御情報のデータに基づいて、連動制御実施判断手段４９０が上述したように連動制御実施判断処理を開始する（Ｓ３４）。
【００４５】
以上のように、実施の形態２によれば、例えば空気調和システムから遠隔の場所に設けられている遠隔監視装置６００により設定処理した連動制御情報のデータを含む信号を、電気通信回線網８００等により集中コントローラ４００に送信し、記憶手段４６０に記憶するようにしたので、上述の実施の形態の効果に加え、例えば、オペレータが集中コントローラ４００において直接しなくても、遠隔監視装置６００により連動制御情報の設定、設定の変更等を行うことができる。
【００４６】
実施の形態３．
上述の実施の形態では空気調和装置について説明したが、これに限るものではない。例えば、冷凍、冷蔵倉庫等に利用する冷却装置、ヒートポンプ装置等を有する他の冷凍サイクルを利用したシステムにも適用することができる。また、照明システム等にも適用することができる。
【００４７】
また、上述の実施の形態では、集中コントローラ３００が連動制御に関する設定、判断等を行うようにしているが、これに限定するものではない。例えば、室外機制御手段１１０、室内機制御手段２１０、リモコン２８０、汎用制御コントローラ３００の制御手段等が行うようにしてもよい。
【００４８】
上述の実施の形態では、汎用制御コントローラ３００、空気調和装置専用伝送線５００を介して汎用機器３１０から送信される緊急信号を受信するようにしたが、緊急信号の通信経路は、これに限定されるものではない。例えば、イントラネットまたは汎用ネットワーク７００等を介してもよいし、緊急信号専用の通信手段を設けて、緊急信号を受信するようにしてもよい。
【図面の簡単な説明】
【００４９】
【図１】実施の形態１に係る空気調和システムを中心とする構成を表す図である。
【図２】室外機１００の構成例を表す図である。
【図３】室内機２００の構成例を表す図である。
【図４】集中コントローラ４００の構成例を表す図である。
【図５】集中コントローラ４００が行う連動制御情報設定内容を表す図である。
【図６】集中コントローラ４００連動制御実施判断処理を表す図である。
【図７】実施の形態２に係る空気調和システムを中心とする構成を表す図である。
【図８】実施の形態２に係る処理を表す図である。
【符号の説明】
【００５０】
１００  室外機、１１０  室外機制御手段、１２０  室外機通信手段、１３０  室外機温度センサ、１４０  圧縮機、１５０  室外機側熱交換器、１６０  室外機側ファン、１７０  四方切換弁、１８０  アキュムレータ、１９０  室外機側膨張弁、２００  室内機、２１０  室内機制御手段、２２０  室内機通信手段、２３０  室内機温度センサ、２４０  室内機湿度センサ、２５０  室内機側熱交換器、２６０  室内機側ファン、２７０  室内機側膨張弁、２８０  手元リモートコントローラ（リモコン）、３００  汎用制御コントローラ、３１０  汎用機器、４００  集中管理装置、４１０  外部通信手段、４２０  通信手段、４３０  表示手段、４４０  入力手段、４５０  制御手段、４６０  記憶手段、４７０  時計手段、４８０  連動制御情報設定手段、４９０  連動制御実施判断手段、５００  空気調和装置専用伝送線、６００  遠隔監視装置、６１０  外部通信手段、６２０  表示手段、６４０  入力手段、６５０  制御手段、６６０  記憶手段、６７０  時計手段、６８０  連動制御情報設定手段、６９０  遠隔連動制御情報変更処理手段、７００  イントラネットまたは汎用ネットワーク、７１０  ルータ、８００  電気通信回線網、９００  イントラネット、９１０  ルータ。
【図１】
2008249233.tif 000003
【図２】
2008249233.tif 000004
【図３】
2008249233.tif 000005
【図４】
2008249233.tif 000006
【図５】
2008249233.tif 000007
【図６】
2008249233.tif 000008
【図７】
2008249233.tif 000009
【図８】
2008249233.tif 000010